(57)【要約】【課題】本発明は、層（２２）の誘電率（ε２）および／または湿り度を判定する方法に関する。【解決手段】レーダー信号が発信（Ｓ１）され、層（２２）により反射されたレーダー信号が互いに間隔をおく少なくとも２つの受信装置（１１ｂ，１２ｂ）によって受信され、それぞれの測定信号が出力される。少なくとも２つの受信装置（１１ｂ，１２ｂ）により出力される測定信号に依存して、層（２２）の誘電率（ε２）および／または湿り度が判定される。【選択図】図１
2018044948.tif 000002
【特許請求の範囲】
【請求項１】
層（２２）の誘電率（ε２）および／または湿り度を判定する方法において、
次の各ステップを有しており、すなわち、
レーダー信号が発信（Ｓ１）され、
層（２２）により反射されたレーダー信号が互いに間隔をおく少なくとも２つの受信装置（１１ｂ，１２ｂ）によって受信（Ｓ２）され、それぞれの測定信号が出力され、
層（２２）の誘電率（ε２）および／または湿り度が、少なくとも２つの前記受信装置（１１ｂ，１２ｂ）により出力される測定信号に依存して判定（Ｓ３）される
方法。
【請求項２】
層（２２）の湿り度は、誘電率（ε２）と湿り度の既知の関係を援用したうえで決定される
請求項１に記載の方法。
【請求項３】
少なくとも２つの前記受信装置（１１ｂ，１２ｂ）により出力される測定信号に依存して、層（２２）の層厚（α２）が判定される
先行請求項のうちいずれか１項に記載の方法。
【請求項４】
発信されたレーダー信号と前記受信装置（１１ｂ，１２ｂ）により受信されたそれぞれのレーダー信号との比較によってそれぞれの比較量が判定され、判定された比較量と反射を記述するためのモデル量との間の差異が決定され、モデル量はパラメータ値としての層（２２）の誘電率（ε２）と層厚（α２）とに依存して決まり、層（２２）の誘電率（ε２）および／または層厚（α２）は前記差異を最小にするパラメータ値として判定される
先行請求項のうちいずれか１項に記載の方法。
【請求項５】
前記モデル量は、層（２２）の第１の表面（２２ａ）でのレーダー信号の反射と第２の表面（２２ｂ）でのレーダー信号の反射とを考慮する
請求項４に記載の方法。
【請求項６】
前記モデル量は、前記第１の表面（２２ａ）と前記第２の表面（２２ｂ）の間のレーダー信号の多重反射をさらに考慮する
請求項５に記載の方法。
【請求項７】
多数のレーダー信号が互いに間隔をおく送信装置によって発信され、前記受信装置（１１ｂ，１２ｂ）は多数のレーダー信号の各々のレーダー信号について比較量を決定するために設計される
先行請求項のうちいずれか１項に記載の方法。
【請求項８】
請求項１から７のいずれか１項に記載の方法に基づいて層（２２）の誘電率（ε２）および／または湿り度を判定するためのセンサ装置（１）において、
レーダー信号を発信するための少なくとも１つの送信装置（１１ａ，１２ａ）と、
層（２２）により反射されたレーダー信号を受信するための互いに間隔をおく少なくとも２つの受信装置（１１ｂ，１２ｂ）と、
層（２２）の誘電率（ε２）および／または湿り度を判定するための評価装置（１３）と、を有している
センサ装置。
【請求項９】
前記受信装置（１１ｂ，１２ｂ）は実質的に平行にアライメントされた主放射方向を有するアンテナを含んでいる
請求項８に記載のセンサ装置。
【請求項１０】
前記受信装置（１１ｂ，１２ｂ）は主放射方向が各アンテナの間の中心平面で交わるアンテナをそれぞれ含んでいる
請求項８または９に記載のセンサ装置。
【発明の詳細な説明】
【技術分野】
【０００１】
本発明は、層の、特に三和土の誘電率および／または湿り度を判定するための方法およびセンサ装置に関する。
【背景技術】
【０００２】
材料や対象物の湿り度の正確な知見は多くの分野で高い重要性をもつ。たとえば建築分野では三和土の湿り度について限界値が設定され、寄木やタイルで床を覆うときに、湿り度障害を回避するためにこの限界値が遵守されなければならない。したがって、所定の限界値を上回らないことを確保するために、必要以上に長いあいだ待機することになる場合がしばしばある。
【０００３】
三和土の湿り度を正確に決定する一つの選択肢は三和土そのものに測定機器を配置することにあり、このことは、たとえば特許文献１に開示されている。しかし、このような種類の湿り度センサは三和土に組み込まれ、再利用可能ではない。
【先行技術文献】
【特許文献】
【０００４】
【特許文献１】国際公開第２０１３／１７０９７３Ａ１号パンフレット
【発明の概要】
【発明が解決しようとする課題】
【０００５】
したがって、たとえば三和土のような対象物の湿り度を決定するための、低コストで容易に取扱可能、かつ再利用可能なセンサ装置を求める需要がある。
【課題を解決するための手段】
【０００６】
本発明は、請求項１の構成要件を有する層の誘電率および／または湿り度を判定する方法、および、請求項８の構成要件を有する層の誘電率および／または湿り度を判定するためのセンサ装置に関する。
【０００７】
したがって第１の態様では、本発明は、層の、特に三和土の誘電率および／または湿り度を判定する方法に関する。レーダー信号が発信され、層により反射されたレーダー信号が互いに間隔をおく少なくとも２つの受信装置によって受信され、それぞれの測定信号が出力される。層の誘電率および／または湿り度が、少なくとも２つの受信装置により出力される測定信号に依存して判定される。
【０００８】
それに応じて第２の態様では、本発明は、レーダー信号を発信するための少なくとも１つの送信装置を有する、層の誘電率および／または湿り度を判定するためのセンサ装置に関する。さらにセンサ装置は、層により反射されたレーダー信号を受信するための互いに間隔をおく少なくとも２つの受信装置と、層の誘電率および／または湿り度を判定するための評価装置とを有している。
【０００９】
好ましい実施形態はそれぞれの従属請求項の対象である。
【００１０】
本発明は、層の誘電率ないし湿り度を正確に決定することを可能にする。
【００１１】
本方法の好ましい発展例では、層の湿り度は、誘電率と湿り度の既知の関係を援用したうえで決定される。このようにして、たとえば三和土の湿り度を決定することができ、そのために湿り度センサを三和土の中に直接配置する必要がなく、もしくは床面試料を採取する必要がない。湿り度はたとえば水含有率、床面水分、含水量、または水分割合であってよい。
【００１２】
本方法の好ましい発展例では、誘電率と湿り度の関係がルックアップテーブルに保存される。
【００１３】
本方法の好ましい発展例では、少なくとも２つの受信装置により出力される測定信号に依存して層の層厚が判定される。このようにして、試料の採取による層厚の追加の決定が不要となる。
【００１４】
本方法の好ましい発展例では、発信されたレーダー信号と、受信装置により受信されたそれぞれのレーダー信号との比較によって、それぞれの比較量が判定される。判定された比較量と、反射を記述するためのモデル量との間の差異が決定され、モデル量はパラメータ値としての層の誘電率と層厚とに依存して決まる。層の誘電率および／または層厚は、差異を最小にするパラメータ値として判定される。
【００１５】
本方法の好ましい発展例では、受信装置は層の表面に対して等しい間隔をおいて配置される。それによりモデル量が簡素化され、誘電率と層厚をいっそう高い精度で決定することができる。
【００１６】
本方法の好ましい発展例では、モデル量は、層の第１の表面でのレーダー信号の反射と、第２の表面でのレーダー信号の反射とを考慮する。
【００１７】
本方法の好ましい発展例では、モデル量は、第１の表面と第２の表面の間のレーダー信号の多重反射をさらに考慮する。
【００１８】
本方法の好ましい発展例では、多数のレーダー信号が互いに間隔をおく送信装置によって発信され、受信装置は、多数のレーダー信号の各々のレーダー信号について比較量を決定するために設計される。
【００１９】
本方法の好ましい発展例では、モデル量はフレネルの式を適用したうえで決定される。
【００２０】
本方法の好ましい発展例では、発信されるレーダー信号は１．８から７ＧＨｚの間の周波数を有している。
【００２１】
センサ装置の好ましい発展例では、受信装置は実質的に平行にアライメントされた主放射方向を有するアンテナをそれぞれ含んでいる。
【００２２】
センサ装置の好ましい発展例では、受信装置は、主放射方向が各アンテナの間の中心平面で交わるアンテナをそれぞれ含んでいる。センサ装置は、２つの受信装置を有するのが好ましい。
【００２３】
図面は次のものを示す：
【図面の簡単な説明】
【００２４】
【図１】本発明の１つの実施形態に基づく、層の誘電率および／または湿り度を判定するためのセンサ装置を示す模式的な断面図である。
【図２】本発明の１つの実施形態に基づく、層の誘電率および／または湿り度を判定する方法を説明するためのフローチャートである。
【発明を実施するための形態】
【００２５】
方法ステップの番号づけは一覧性に資するものであり、一般に、特定の時間的な順序を含意するものではない。特に、複数の方法ステップを同時に実行することもできる。異なる実施形態は、それが有意義である限りにおいて、相互に任意に組み合わせることができる。
【００２６】
図１は、たとえば三和土のような層２２の誘電率ε２および／または湿り度を判定するためのセンサ装置１の模式的な断面図を示している。誘電率ε２はここでは誘電コンダクタンスを意味する。センサ装置１は、層２２の外側の第１の表面２２ａに対して垂直方向に測定された同一の間隔α１だけ層２２から離れるように位置決めされた、第１の送受信装置１１および第２の送受信装置１２を含んでいる。間隔α１は、たとえば１センチメートルから５０センチメートルの間であってよく、好ましくは５センチメートルであってよい。第１の送受信装置１１と第２の送受信装置１２は、たとえば５から５０センチメートルの間の、好ましくは１５センチメートルの間隔２・Ｂを相互に有するとともに、第１の発信装置１１ａと第１の受信装置１１ｂ、ないし第２の発信装置１２ａと第２の受信装置１２ｂを含んでいる。
【００２７】
第１の発信装置１１ａと第２の発信装置１２ａは、層２２の第１の表面２２ａに向けてレーダー信号を発信するために設計されている。レーダー信号は第１の表面２２ａで部分的に反射されるが、部分的には第１の表面２２ａで屈折してから層２２に侵入することができ、そこで層２２の第２の内側の表面２２ｂで反射され、あらためて層２２を通るように伝わり、第１の表面２２ａであらためて屈折して、層２２から外に出る。第１の受信装置１１ｂと第２の受信装置１２ｂは、層２２によって反射されたレーダー信号を受信して、測定信号を出力するために構成されている。第１の送受信装置１１と第２の送受信装置１２は、１．８から７ＧＨｚの周波数を有する超広帯域レーダーシステムとして設計されるのが好ましい。受信装置１１ｂ，１２ｂは、両方のアンテナの間の中央平面で主放射方向が交わるアンテナをそれぞれ含んでいるのが好ましい。ただし、アンテナの主放射方向が平行にアライメントされていてもよい。
【００２８】
発信されるレーダー信号のレーダー信号は正弦形であるのが好ましく、レーダー信号の振幅および／または位相が、層２２での反射によって変更ないしシフトされる。層２２でのレーダー信号の散乱は、一般に、それぞれ複素記述される受信されたレーダー信号と発信されたレーダー信号の商として定義され、したがって、発信されたレーダー信号と受信されたレーダー信号の比較による比較量を表す複素散乱パラメータＳによって記述することができる。
【００２９】
散乱パラメータＳは、反射率Ｒｋ、透過率Ｔｋ、レーダー信号の周波数ｆ、および層の複素値の誘電体厚Ｄｅｌに依存して決まる。ここで誘電体厚Ｄｅｌは、層２２の層厚α２と、層２２の誘電率ε２の根との積として定義される。散乱パラメータＳは、考えられる一切の透過と反射にわたって次の合計に基づき算出される。
【００３０】
【数１】
2018044948.tif 000003
【００３１】
ここでｃ０は真空中の光速を表す。送受信装置１１，１２と層２２との間の周囲空気の誘電率ε１、層２２の誘電率ε２、ならびに送受信装置１１，１２と反対を向いている層２２の側での周囲空気の誘電率ε３は、一般に複素値のパラメータで、すなわち次式によって与えられる。
【００３２】
【数２】
2018044948.tif 000004
【００３３】
図１では、第１の発信装置１１ａにより発信され、第１の表面２２ａで部分的に反射され、部分的に層２２の中に侵入して第２の表面２２ｂで反射されるレーダー信号に相当する第１の放射光路Ｌ１が図示されている。第１の受信装置１１ｂが反射されたレーダー信号を受信し、第１の散乱パラメータＳ１１を測定して、相応の測定信号を出力する。
【００３４】
第２の放射光路Ｌ２は、第２の発信装置１２ａから発信され、第１の表面２２ａで部分的に反射され、部分的に層２２の中へ侵入して、第２の表面２２ｂで反射されるレーダー信号に相当する。第２の受信装置１２ｂが反射されたレーダー信号を受信し、第２の散乱パラメータＳ２２を測定して、相応の測定信号を出力する。
【００３５】
さらに、第１の発信装置１１ａにより発信され、面法線Ｎに関して第１の入射角θ１，１で第１の表面２２ａに当たり、そこで反射されるレーダー信号に相当する第３の光路Ｌ３が図示されており、この反射は第１の反射率ｒ１２によって表されている。次いで、レーダー信号が第２の受信装置１２ｂによって受信される。
【００３６】
最後に、第１の発信装置１１ａにより発信され、まず面法線Ｎに関して第２の入射角θ１，２で第１の表面２２ａに当たり、そこで屈折するレーダー信号に相当する第４の光路Ｌ４が図示されており、この屈折は第１の透過率ｔ１２によって表されている。このレーダー信号は、第３の入射角θ２，２で第２の表面２２ｂに当たり、そこで反射され、この反射は第２の反射率ｒ２３によって表されている。層２２を透過した後、レーダー信号は第１の表面２２ａであらためて屈折し、このことは第２の透過率ｔ２１によって表されており、引き続き第２の受信装置１２ｂによって受信される。
【００３７】
第３の光路Ｌ３および第４の光路Ｌ４に沿って伝搬するレーダー信号の重なり合いが第２の受信装置１２ｂにより受信され、第３の散乱パラメータＳ１２が測定されて、相応のセンサ信号が出力される。
【００３８】
さらに、第１の表面２２ａないし第２の表面２２ｂで反射され、第１の受信装置１２ｂにより受信されるレーダー信号が、第２の発信装置１２ａによって発信され、それぞれの光路は第３の光路Ｌ３ないし第４の光路Ｌ４と正確に反対向きである。受信装置１２ｂが相応の第４の散乱パラメータＳ２１を測定して、センサ信号を出力する。
【００３９】
センサ装置１は、第１の受信装置１１ｂと第２の受信装置１２ｂにより測定される散乱パラメータＳ１１，Ｓ１２，Ｓ２１，Ｓ２２を用いて、層２２の層厚α２と誘電率ε２を判定するために構成された評価装置１３を含んでいる。
【００４０】
層２２の内部における入射角θｙ，ｊ、特に第３の入射角θ２，２は、第２の入射角θ１，２に依存してスネルの屈折の法則により、すなわち次式により算出することができる。
【００４１】
【数３】
2018044948.tif 000005
【００４２】
第１の送受信装置１１と第２の送受信装置１２の間の半分の間隔Ｂは、入射角θ１，１，θ１，２、層２２からの間隔α１、および層２２の層厚α２に依存して次式により決定することができる。
【００４３】
【数４】
2018044948.tif 000006
【００４４】
フレネル屈折の式により、第１の反射率ｒ１２、第２の反射率ｒ２３、第１の透過率ｔ１２、および第２の透過率ｔ２１は、入射角θ１，１，θ１，２、送受信装置１１，１２と対象物２２との間の周囲空気の複素誘電率ε１の実部ε１’、層２２の複素誘電率の実部ε２’、ならびに送受信装置１１，１２と反対を向いている側の周囲空気の複素誘電率ε３の実部ε３’に依存して算出することができ、その際には次式が適用される。
【００４５】
【数５】
2018044948.tif 000007
【００４６】
周囲空気の誘電体厚Ｄｅｌ１、および層２２の誘電体厚Ｄｅｌ２は、同じく入射角θ１，１，θ１，２、誘電率ε１，ε２、送受信装置１１，１２と層２２の間隔α１、ならびに層２２の層厚α２に依存して決まり、次式によって与えられる。
【００４７】
【数６】
2018044948.tif 000008
【００４８】
第１の送受信装置１１から第２の送受信装置１２へのレーダー信号の伝送を記述するための散乱パラメータＳは、上記の一般式に基づき、本例においては次式によって算出される。
【００４９】
【数７】
2018044948.tif 000009
【００５０】
それに応じてこの式は、反射を記述するためのモデル量を表す。評価装置１３は、第１の受信装置１１ｂにより測定される第１の散乱パラメータＳ１１および／または第２の受信装置１２ｂにより測定される第２の散乱パラメータＳ２２を、散乱パラメータＳについての上記の式を用いてフィッティングするために構成されており、誘電体厚すなわち層厚α２と誘電率ε２の根との積が、フィッティングパラメータとして変更される。層厚α２と誘電率ε２の根との積は、最善のフィッティングによって判定される。さらに評価装置１３は、第２の受信装置１２ｂにより測定される第３の散乱パラメータＳ１２および／または第１の受信装置１１ｂにより測定される第４の散乱パラメータＳ２１を、散乱パラメータについての上記の式を用いてフィッティングするために構成され、層厚α２と誘電率ε２の根との判定された積が代入されて、層厚α２または誘電率ε２のいずれかがフィッティングパラメータとして変更され、最善のフィッティングによって決定される。評価装置１３は、層厚α２および誘電率ε２の根の判定された積を用いて、相応の残りの量を計算する。
【００５１】
このように評価装置１３は、層２２の層厚α２ならびに誘電率ε２をこれらの量の適合化ないしフィッティングにより、モデル量を設定する散乱パラメータＳについての式の自由なパラメータとして決定し、それにより、散乱パラメータＳについての式とそれぞれの測定された散乱パラメータＳとの間の差異が最小になるようにするために構成されている。このことは、たとえば平方平均の最小化によって行うことができる。このように評価装置１３は、層２２の層厚α２と誘電率ε２とを同時に決定する。
【００５２】
さらに評価装置１３は、層２２の判定された誘電率ε２を用いて、層２２の湿り度を決定するために構成されている。評価装置１３は、誘電率ε２と湿り度の経験上の関係が層２２の既知の材料特性に依存して保存されているルックアップテーブルを、そのために有するのが好ましい。
【００５３】
第２の発信装置１２ａは任意選択である。たとえば別の実施形態では、第２の送受信装置１２に代えて、第２の受信装置１２ｂだけが設けられていてよい。第１の散乱パラメータＳ１１だけが第１の受信装置１１ｂによって測定され、第３の散乱パラメータＳ１２が第２の受信装置１２ｂによって測定され、評価装置１３は、層２２の層厚α２と誘電率ε２を、散乱パラメータＳについての式に合わせた、測定された散乱パラメータＳ１１，Ｓ１２のフィッティングによって決定するために構成される。
【００５４】
別の実施形態では、上に説明した散乱パラメータＳについての式が、層２２の内部での多重反射を考慮することによって拡張されて、評価装置１３によるフィッティングが相応に実行される。
【００５５】
別の実施形態では、層２２が複数の下位層を有することができ、それぞれの層の相応の誘電率ないし層厚を、相応の散乱パラメータＳに合わせたフィッティングによって評価装置１３により決定することができる。
【００５６】
誘電率ε２の複素の測定値に代えて、レーダー信号の実部、虚部、振幅、または位相を評価してフィッティングし、湿り度を評価装置１３によって相応に決定することもできる。
【００５７】
別の実施形態では、第１の送受信装置１１から層２２までの間隔と、第２の送受信装置１２から層２２までの間隔とが相違していてよい。
【００５８】
別の実施形態では、レーダー信号のフィルタリング、特に分極を実行することができる。
【００５９】
図２には、層２２の誘電率ε２および／または湿り度を判定する方法を説明するためのフローチャートが示されている。
【００６０】
第１の方法ステップＳ１で、特に第１の発信装置１１ａまたは第２の発信装置１２ａにより、レーダー信号が発信される。
【００６１】
次の方法ステップＳ２で、層２２により反射されたレーダー信号が、互いに間隔をおく少なくとも２つの受信装置１１ｂ，１２ｂによって受信されて測定される。留意すべきは、受信装置１１ｂ，１２ｂが、レーダー信号を発するために使用される送信装置１１ａ，１２ａを中心として対称には配置されず、それにより、受信装置１１ｂ，１２ｂによって測定されるレーダー信号の進行時間が互いに相違するようにすることである。
【００６２】
それぞれの比較量が、発信されたレーダー信号と、受信装置１１ｂ，１２ｂにより受信されたそれぞれのレーダー信号との比較によって決定される。この比較量は、特に、それぞれの散乱パラメータＳ１１，Ｓ１２，Ｓ２１，Ｓ２２であってよい。
【００６３】
次のステップＳ３で、層２２の誘電率ε２および／または湿り度が、受信装置１１ｂ，１２ｂにより出力される測定信号に依存して測定される。
【００６４】
そのために、判定された比較量と、反射を記述するためのモデル量との間の差異が決定されるのが好ましく、このときモデル量は、パラメータ値としての層２２の誘電率ε２と層厚α２とに依存して決まる。モデル量として、上に規定した散乱パラメータＳの数学式を適用することができる。
【００６５】
層２２の誘電率ε２と層厚α２は、差異を最小にするパラメータ値として決定されるのが好ましい。
【００６６】
湿り度は、判定された誘電率ε２を用いて、ルックアップテーブルにより決定することができる。
【符号の説明】
【００６７】
１  センサ装置
１１ａ，１２ａ  送信装置
１１ｂ，１２ｂ  受信装置
１３  評価装置
２２  層
２２ａ  第１の表面
２２ｂ  第２の表面
ε２  誘電率
Ｓ１  発信
Ｓ２  受信
Ｓ３  判定
【図１】
2018044948.tif 000010
【図２】
2018044948.tif 000011
【手続補正書】
【提出日】平成29年12月19日(2017.12.19)
【手続補正１】
【補正対象書類名】特許請求の範囲
【補正対象項目名】全文
【補正方法】変更
【補正の内容】
【特許請求の範囲】
【請求項１】
層（２２）の誘電率（ε２）および／または湿り度を判定する方法において、
次の各ステップを有しており、すなわち、
レーダー信号が発信（Ｓ１）され、
層（２２）により反射されたレーダー信号が互いに間隔をおく少なくとも２つの受信装置（１１ｂ，１２ｂ）によって受信（Ｓ２）され、それぞれの測定信号が出力され、
層（２２）の誘電率（ε２）および／または湿り度が、少なくとも２つの前記受信装置（１１ｂ，１２ｂ）により出力される測定信号に依存して判定（Ｓ３）される
方法。
【請求項２】
層（２２）の湿り度は、誘電率（ε２）と湿り度の既知の関係を援用したうえで決定される
請求項１に記載の方法。
【請求項３】
少なくとも２つの前記受信装置（１１ｂ，１２ｂ）により出力される測定信号に依存して、層（２２）の層厚（α２）が判定される
請求項１または２に記載の方法。
【請求項４】
発信されたレーダー信号と前記受信装置（１１ｂ，１２ｂ）により受信されたそれぞれのレーダー信号との比較によってそれぞれの比較量が判定され、判定された比較量と反射を記述するためのモデル量との間の差異が決定され、モデル量はパラメータ値としての層（２２）の誘電率（ε２）と層厚（α２）とに依存して決まり、層（２２）の誘電率（ε２）および／または層厚（α２）は前記差異を最小にするパラメータ値として判定される
請求項１から３のいずれか１項に記載の方法。
【請求項５】
前記モデル量は、層（２２）の第１の表面（２２ａ）でのレーダー信号の反射と第２の表面（２２ｂ）でのレーダー信号の反射とを考慮する
請求項４に記載の方法。
【請求項６】
前記モデル量は、前記第１の表面（２２ａ）と前記第２の表面（２２ｂ）の間のレーダー信号の多重反射をさらに考慮する
請求項５に記載の方法。
【請求項７】
多数のレーダー信号が互いに間隔をおく送信装置によって発信され、前記受信装置（１１ｂ，１２ｂ）は多数のレーダー信号の各々のレーダー信号について比較量を決定するために設計される
請求項１から６のいずれか１項に記載の方法。
【請求項８】
請求項１から７のいずれか１項に記載の方法に基づいて層（２２）の誘電率（ε２）および／または湿り度を判定するためのセンサ装置（１）において、
レーダー信号を発信するための少なくとも１つの送信装置（１１ａ，１２ａ）と、
層（２２）により反射されたレーダー信号を受信するための互いに間隔をおく少なくとも２つの受信装置（１１ｂ，１２ｂ）と、
層（２２）の誘電率（ε２）および／または湿り度を判定するための評価装置（１３）と、を有している
センサ装置。
【請求項９】
前記受信装置（１１ｂ，１２ｂ）は実質的に平行にアライメントされた主放射方向を有するアンテナを含んでいる
請求項８に記載のセンサ装置。
【請求項１０】
前記受信装置（１１ｂ，１２ｂ）は主放射方向が各アンテナの間の中心平面で交わるアンテナをそれぞれ含んでいる
請求項８または９に記載のセンサ装置。

【外国語明細書】
2018044948000001.pdf